(57)【要約】      （修正有）【課題】コードロックの構成部品点数を最小限化する。【解決手段】雌部材１と、雌部材１の挿通路内に第一開口側から一部を入り込ませると共に、この一部に挿通路内に形成された雌側留付部７と協働して挿通路に挿通された紐Ｃに留め付く雄側留付部１２を備えた雄部材２とを備える。紐Ｃに対する留め付けを、挿通路内への雄部材２の一部の入り込み量を減ずる引き操作により解くようにしてなると共に、雌部材１と雄部材２との間に、引き操作により蓄勢されるバネ部材３を介在させてなる。雌部材１にバネ部材３のバネ一端の第一当接部１０ａを一体に形成させると共に、雄部材２にバネ部材３のバネ他端の第二当接部１３を一体に形成させてなる。【選択図】図１５
2019047949.tif 000002
【特許請求の範囲】
【請求項１】
第一開口と、第二開口と、これらの間に亘る紐の挿通路とを備えた雌部材と、
前記挿通路内に前記第一開口側から一部を入り込ませると共に、この一部に前記挿通路内に形成された雌側留付部と協働して前記挿通路に挿通された前記紐に留め付く雄側留付部を備えた雄部材とを備え、
前記紐に対する留め付けを、前記挿通路内への前記雄部材の一部の入り込み量を減ずる引き操作により解くようにしてなると共に、
前記雌部材と前記雄部材との間に、前記引き操作により蓄勢されるバネ部材を介在させてなるコードロックであって、
前記雌部材に前記バネ部材のバネ一端の第一当接部を一体に形成させると共に、前記雄部材に前記バネ部材のバネ他端の第二当接部を一体に形成させてなる、コードロック。
【請求項２】
前記雄部材は、前記雄側留付部の形成側と反対側に前記第二当接部を備えた主体部を備え、
前記雌部材は、前記第一開口から延び出すと共に、脚部間を前記主体部の収納空間とした一対の脚部を備え、
前記脚部の延び出し端側には、前記収納空間側に突き出す突出部が形成されており、
前記主体部は、前記脚部を弾性変形させることで前記突出部を前記第二当接部に向き合わせるようにして前記収納空間に納められるようになっており、
前記突出部における前記第二当接部に向けられた側が前記第一当接部となるようにしてなる、請求項１に記載のコードロック。
【請求項３】
前記主体部は、前記第二当接部及び前記一対の脚部と協働して前記バネ部材の収容部を形成する一対の壁部を有してなる、請求項１又は請求項２に記載の
コードロック。
【請求項４】
前記雄部材は、前記主体部の側方に紐の挿通路を備えると共に、
前記挿通路と前記収容部との間に、前記挿通路を利用して前記収容部に前記バネ部材を導入可能とする連通部を形成させてなる、請求項３に記載のコードロック。
【発明の詳細な説明】
【技術分野】
【０００１】
この発明は、コードロックの改良に関する。
【背景技術】
【０００２】
紐が挿通されるケースと、ケースの係合壁面と協働して紐に係合力を作用させる係合エッジを備えたロック部材とからなる紐固定具がある（特許文献１参照）。
【０００３】
特許文献１のものにあっては、ケースとロック部材との間に圧縮バネが介在されている。ケースとロック部材とは、前記バネの一端をロック部材側に当てるようにした状態から、ケース側に前記バネの他端に当たるばね受け部材を組み付けることで、組み合わされている。前記バネにより、ロック部材は前記係合エッジを前記係合壁面に近接させる向きに付勢され紐に係合力を作用させるようになっている。
【先行技術文献】
【特許文献】
【０００４】
【特許文献１】特開２００５−２３１号公報
【発明の概要】
【発明が解決しようとする課題】
【０００５】
特許文献１のものは、この種の紐固定具（コードロック）を構成するために、最低限、前記ケースと、ロック部材と、バネと、ばね受け部材の四点を必要とし、しかも、そのアッセンブリーにあたっては、ケースとロック部材との間にバネを介在させながらこのバネのバネ他端に当たるばね受け部材をケースに組み付けることを要するものであった。
【０００６】
この発明が解決しようとする主たる問題点は、この種のコードロックの機能性を損なうことなく、その構成部品点数を最小限化する点にある。
【課題を解決するための手段】
【０００７】
前記課題を達成するために、この発明にあっては、コードロックを、第一開口と、第二開口と、これらの間に亘る紐の挿通路とを備えた雌部材と、
前記挿通路内に前記第一開口側から一部を入り込ませると共に、この一部に前記挿通路内に形成された雌側留付部と協働して前記挿通路に挿通された前記紐に留め付く雄側留付部を備えた雄部材とを備え、
前記紐に対する留め付けを、前記挿通路内への前記雄部材の一部の入り込み量を減ずる引き操作により解くようにしてなると共に、
前記雌部材と前記雄部材との間に、前記引き操作により蓄勢されるバネ部材を介在させてなるコードロックであって、
前記雌部材に前記バネ部材のバネ一端の第一当接部を一体に形成させると共に、前記雄部材に前記バネ部材のバネ他端の第二当接部を一体に形成させてなる、ものとした。
【０００８】
前記雄部材は、前記雄側留付部の形成側と反対側に前記第二当接部を備えた主体部を備え、
前記雌部材は、前記第一開口から延び出すと共に、脚部間を前記主体部の収納空間とした一対の脚部を備え、
前記脚部の延び出し端側には、前記収納空間側に突き出す突出部が形成されており、
前記主体部は、前記脚部を弾性変形させることで前記突出部を前記第二当接部に向き合わせるようにして前記収納空間に納められるようになっており、
前記突出部における前記第二当接部に向けられた側が前記第一当接部となるようにすることが、この発明の態様の一つとされる。
【０００９】
また、前記主体部は、前記第二当接部及び前記一対の脚部と協働して前記バネ部材の収容部を形成する一対の壁部を有したものとすることが、この発明の態様の一つとされる。
【００１０】
また、前記雄部材は、前記主体部の側方に紐の挿通路を備えると共に、前記挿通路と前記収容部との間に、前記挿通路を利用して前記収容部に前記バネ部材を導入可能とする連通部を形成させてなるものとすることが、この発明の態様の一つとされる。
【発明の効果】
【００１１】
この発明によれば、この種のコードロックを雌部材と雄部材とバネ部材の三点から構成することができ、その構成部品点数を適切に最小限化することができる。
【図面の簡単な説明】
【００１２】
【図１】図１は、この発明の一実施の形態にかかるコードロックの分解斜視図である。
【図２】図２は、前記コードロックの分解斜視図であり、図１と異なる向きから見て示している。
【図３】図３は、前記コードロックの分解断面図である。
【図４】図４は、前記コードロックの斜視図である。
【図５】図４は、前記コードロックの斜視図であり、図４と異なる向きから見て示している。
【図６】図６は、前記コードロックの正面図である。
【図７】図７は、前記コードロックの側面図である。
【図８】図８は、前記コードロックを図６の上側から見た側面図である。
【図９】図９は、前記コードロックを図６の下側から見た側面図である。
【図１０】図１０は、図６におけるＡ−Ａ線位置での断面図である。
【図１１】図１１は、図７におけるＢ−Ｂ線位置での断面図である。
【図１２】図１２は、雌部材内から雄部材を最大限抜き出すように操作した状態を示した断面図である。
【図１３】図１３は、図１２の状態を図１２と９０度異なる位置で断面にして示した断面図である。
【図１４】図１４は、前記コードロックの断面図であり、紐に留めついた状態を示している。
【図１５】図１５は、図１４の状態を図１４と９０度異なる位置で断面にして示した断面図である。
【発明を実施するための形態】
【００１３】
以下、図１〜図１５に基づいて、この発明の典型的な実施の形態について、説明する。
【００１４】
この実施の形態にかかるコードロックＲは、紐Ｃの任意の位置に留め付け可能であり、また、この留め付け状態を雌部材１内への雄部材２の一部の入り込み量を減ずる引き操作により解除可能に構成されたものである。
【００１５】
かかる紐Ｃは、このようにコードロックＲの留め付けが可能なものであれば、その形状（丸紐、平紐など）、材質や構造（編み紐、ゴム紐、合成樹脂製の紐など）は問われない。かかるコードロックＲは、典型的には、こうした紐Ｃにより絞られたり、引き締められたりする箇所を備えた各種の物品におけるこの紐Ｃに留め付けられて、その留め付け位置を変えることでこのような箇所を絞ったり、緩めたりするように用いられる。
【００１６】
前記雌部材１は、第一開口４と、第二開口５と、これらの間に亘る紐Ｃの挿通路６とを備えている。
【００１７】
一方、前記雄部材２は、前記挿通路６内に前記第一開口４側から一部を入り込ませると共に、この一部に前記挿通路６内に形成された雌側留付部７と協働して前記挿通路６に挿通された前記紐Ｃに留め付く雄側留付部１２を備えている。
【００１８】
また、前記雌部材１と前記雄部材２との間には、前記引き操作により蓄勢されるバネ部材３が介在されている。図示の例では、かかるバネ部材３は、前記引き操作により蓄勢される圧縮コイルバネ３ａとなっている。
【００１９】
前記紐Ｃに対する留め付けは、前記第一開口４側から引き出される前記紐Ｃを把持しての前記雌部材１に対する前記挿通路６内への前記雄部材２の一部の入り込み量を減ずる引き操作、及び、前記第二開口５側から引き出される前記紐Ｃを把持しての前記雄部材２に対する前記挿通路６内への前記雄部材２の一部の入り込み量を減ずる引き操作により解かれるようになっている。
【００２０】
この実施の形態にあっては、コードロックＲは、雄部材２の移動中心軸ｘ（図１１参照）を挟んだ両側にそれぞれ紐Ｃが通されるようになっている。
【００２１】
前記引き操作を行わない状態では、前記バネ部材３によって前記挿通路６内において雌側留付部７と雄側留付部１２とによって紐Ｃを挟み付けることができ、これにより、コードロックＲは紐Ｃの任意の位置に留め付けられる。
【００２２】
第一開口４側から引き出されている紐Ｃを把持して雌部材１を図１５における上側に引き操作すると、コードロックＲの紐Ｃに対する留め付け状態が解かれ、コードロックＲは全体として図１５における上側に移動し、この上側への引き操作を止めると移動後の位置でコードロックＲは再び紐Ｃに留め付く。また、第二開口５側から引き出されている紐Ｃを把持して雄部材２を図１５における下側に引き操作すると、コードロックＲの紐Ｃに対する留め付け状態が解かれ、コードロックＲは全体として図１５における下側に移動し、この下側への引き操作を止めると移動後の位置でコードロックＲは再び紐Ｃに留め付く。
【００２３】
雌部材１は、雌側主体部８と、一対の脚部９、９とを備えてなる。
【００２４】
雌側主体部８は、雄部材２の移動中心軸ｘに直交する向きの断面形状を、実質的に扁平筒状とするように構成されている。
【００２５】
すなわち、雌側主体部８は、前記移動中心軸ｘに直交する向きの寸法を大きくした一対の幅広面部８ａ、８ａと、この一対の幅広面部８ａ、８ａ間に亘る一対の厚さ側面部８ｂ、８ｂとを備えている。
【００２６】
雌側主体部８の筒一端が前記第一開口４として機能し、雌側主体部８の筒他端が前記第二開口５として機能するようになっている。
【００２７】
雌側主体部８の厚さ側面部８ｂの内面は、第二開口５に近づくに連れて雌側主体部８の内側の広さを狭める向きに傾斜している。図示の例では、前記移動中心軸ｘを挟んだ両側においてぞれぞれ、厚さ側面部８ｂの内面に雌側留付部７が形成されている。図示の例では、雌側留付部７は、移動中心線ｘに実質的に平行をなす段面７ａと、移動中心線ｘに実質的に直交する段差７ｂとを前記移動中心線ｘ方向において交互に形成させることで、厚さ側面部８ｂの内面に備えられている。
【００２８】
脚部９は、前記移動中心軸ｘに沿って前記雌側主体部８における前記第一開口４を形成する縁部から突き出す帯板状を呈している。一対の脚部９、９の一方は、一対の幅広面部８ａ、８ａの一方に連続して前記移動中心軸ｘに沿って延び出している。一対の脚部９、９の他方は、一対の幅広面部８ａ、８ａの他方に連続して前記移動中心軸ｘに沿って延び出している。
【００２９】
かかる一対の脚部９、９間が後述の雄部材２の主体部１１の収納空間１０となるようになっている。
【００３０】
また、前記脚部９の延び出し端側には、前記収納空間１０側に突き出す突出部９ａが形成されている。図示の例では、一対の脚部９、９の延び出し端にそれぞれ、突出部９ａが形成されている。二つの突出部９ａ間には隙間９ｂが形成されている。また、二つの突出部９ａにはそれぞれ、第一開口４に向き合う側に、後述のバネ部材３のバネ一端内に入り込む突起９ｃが形成されている。この二つの突出部９ａの第一開口４に向き合う側、すなわち、雄部材２の後述の第二当接部１３に向けられた側が、前記バネ部材３のバネ一端の第一当接部１０ａとして機能するようになっている。
【００３１】
図示の例では、一対の幅広面部８ａ、８ａの一方の移動中心軸ｘに沿う向きの寸法は、一対の幅広面部８ａ、８ａの他方の移動中心軸ｘに沿う向きの寸法よりも大きく、一対の幅広面部８ａ、８ａの一方はこの寸法差分、第二開口５から張り出した部分８ｃを有している。図示の例では、この張り出した部分８ｃに移動中心軸ｘに直交する向きに長さ方向を沿わせるように長穴８ｄが形成されている。図示の例では、この長穴８ｄに図示しないテープなどの帯状体を通すことができるようになっている。
【００３２】
また、図示の例では、一対の幅広面部８ａ、８ａにそれぞれ、第二開口５から第一開口４側に続く案内溝８ｅが移動中心軸ｘに沿うように形成されており、この案内溝８ｅに雄部材２の後述の主体部１１の被案内部１４ｃが案内されるようになっている。
【００３３】
一方、雄部材２は、雄側留付部１２と、この雄側留付部１２の形成側と反対側に前記バネ部材３のバネ他端の第二当接部１３とを備えた、主体部１１を有している。
【００３４】
主体部１１は、雌部材１に入り込む前記一部となる中実な前部１４と、雌部材１の雌側主体部８内に実質的に入り込まない後部１５とを備えている。
【００３５】
前部１４は、雌部材１の幅広面部８ａの内面に向き合う幅側面部１４ａと、雌部材１の厚さ側面部８ｂの内面に向き合う側面部１４ｂとを備えている。前部１４の二カ所の幅側面部１４ａにはそれぞれ、雌部材１の前記案内溝８ｅに納まる被案内部１４ｃが形成されている。図示の例では、雌部材１の一対の脚部９、９間にこの脚部９を弾性変形させながら雄部材２の主体部１１が納められて雌部材１と雄部材２とが組み合わされるようになっており、この組み合わせの過程で前記被案内部１４ｃが対応する前記案内溝８ｅに納まるようになっている。これにより、図示の例では、雄部材２は前記移動中心軸ｘに沿うように主体部１１を配した状態で雌部材１に組み合わされると共に、主体部１１の左右にそれぞれ紐Ｃを通すことができるようになっている。
【００３６】
前部１４の二カ所の側面部１４ｂにはそれぞれ、雄側留付部１２となる爪部１４ｄが形成されている。この爪部１４ｄは、前記移動中心軸ｘに沿う向きにおいて隣り合う爪部１４ｄとの間に間隔を開けて二つ形成されている。
【００３７】
前部１４における後部１５との連接端は、前記移動中心軸ｘに直交する面となっており、この面が前記バネ部材３のバネ他端の第二当接部１３として機能するようになっている。
【００３８】
後部１５は、前記移動中心軸ｘに沿うように形成された一対の壁部１５ａ、１５ａによって構成されている。一対の壁部１５ａ、１５ａの一方は前部１４の側面部１４ｂの一方に連続するように形成されており、一対の壁部１５ａ、１５ａの他方は前部１４の側面部１４ｂの他方に連続するように形成されており、一対の壁部１５ａ、１５ａ間に第二当接部１３が位置すると共に、一対の壁部１５ａ、１５ａ間に圧縮コイルバネ３ａが納まるようになっている。
【００３９】
すなわち、この実施の形態にあっては、前記雄部材２は、前記雄側留付部１２の形成側と反対側に前記第二当接部１３を備えた主体部１１を備え、
前記雌部材１は、前記第一開口４から延び出すと共に、脚部間を前記主体部１１の収納空間１０とした一対の脚部９、９を備え、
前記脚部９の延び出し端側には、前記収納空間１０側に突き出す突出部９ａが形成されており、
前記主体部１１は、前記脚部９を弾性変形させることで前記突出部９ａを前記第二当接部１３に向き合わせるようにして前記収納空間１０に納められるようになっており、
前記突出部９ａにおける前記第二当接部１３に向けられた側が前記第一当接部１０ａとなるようにしてなっている。
【００４０】
また、雄部材２と雌部材１とを組み合わせた状態において、前記主体部１１の一対の壁部１５ａ、１５ａと、前記第二当接部１３と、前記一対の脚部９、９とが協働して前記バネ部材３の収容部１９を形成するようになっている。
【００４１】
具体的には、雌部材１内に雄部材２の前記一部となる主体部１１の前部１４を、雌部材１の一対の脚部９、９間の距離を広げる向きに脚部９を弾性変形させながら挿し込めるようになっている。図示の例では、雌部材１の脚部９の延び出し端に、雄部材２の主体部１１の前部１４の前端において被案内部１４ｃに形成された誘導面１４ｅに接して脚部９の前記の向きへの弾性変形を促す被誘導面９ｄが形成されている。
【００４２】
雄部材２の主体部１１の前部１４がその第二当接部１３の後方に第一当接部１０ａとなる突出部９ａを位置される位置まで挿し込まれると、一対の脚部９、９が弾性復帰されて第一当接部１０ａと第二当接部１３とが向き合い、雄部材２と雌部材１とが分離しない状態で組み合わされると共に、前記収容部１９が形成されるようになっている。
【００４３】
この実施の形態にあっては、前記雌部材１に前記バネ部材３のバネ一端の第一当接部１０ａを一体に形成させると共に、前記雄部材２に前記バネ部材３のバネ他端の第二当接部１３を一体に形成させている。これにより、この実施の形態にかかるコードロックは、雄部材２、雌部材１、バネ部材３の三点から適切に構成可能とされる。
【００４４】
図示の例では、雄部材２は、前記移動中心軸ｘに直交する向きの断面形状を、実質的に扁平筒状とする頭部１６を有している。すなわち、頭部１６は、前記移動中心軸ｘに直交する向きの寸法を大きくした一対の幅広面部１６ａ、１６ａと、この一対の幅広面部１６ａ、１６ａ間に亘る一対の厚さ側面部１６ｂ、１６ｂとを備えている。雄部材２と雌部材１との組み合わせ状態において、頭部１６の幅広面部１６ａは雌部材１の幅広面部８ａと同じ側に位置し、頭部１６の厚さ側面部１６ｂは雌部材１の厚さ側面部８ｂと同じ側に位置されるようになっている。頭部１６は、雌部材１の第一開口４に向き合う第三開口１６ｃと、この第三開口１６ｃと反対の側に第四開口１６ｄを備えている。そして、頭部１６と主体部１１とは、頭部１６の第三開口１６ｃから主体部１１の前部１４を突き出すように一体化されている。具体的には、後部１５を構成する壁部１５ａが頭部１６の幅広面部１６ａと一体化されており、雄部材２と雌部材１との組み合わせ状態において、雌部材１の脚部９は一対の壁部１５ａ、１５ａ間を通って頭部１６内に入り込むようになっていると共に、雄部材２の左右においてそれぞれ、頭部１６の厚さ側面部１６ｂと後部１５の壁部１５ａとの間に、紐Ｃの挿通路が形成されるようになっている。具体的には、前記壁部１５ａは、その連続方向に沿った一方縁部１５ｂを頭部１６の一対の幅広面部１６ａ、１６ａの一方の内面に、その連続方向に沿った他方縁部１５ｂを頭部１６の一対の幅広面部１６ａ、１６ａの他方の内面に、それぞれ一体化させている（図２）。
【００４５】
なお、図示の例では、頭部１６の幅広面部１６ａには、前記移動中心軸ｘ方向の中程との位置と第一開口４との間に、第一開口４側で外方に開放された割欠き部１６ｅが形成されており、主体部１１の後部１５の一対の壁部１５ａ、１５ａ間の空間に前記割欠き部１６ｅが連通するようになっている（図１）。
【００４６】
また、この実施の形態にあっては、前記挿通路１７と前記収容部１９との間に、前記挿通路１７を利用して前記収容部１９に前記バネ部材３を導入可能とする連通部１８を形成させている。
【００４７】
図示の例では、前記一対の壁部１５ａ、１５ａの一方は頭部１６の第三開口１６ｃと第四開口１６ｄとの間に亘る長さを持つが、前記一対の壁部１５ａ、１５ａの他方は一方の壁部１５ａの長さより短く、この他方の壁部１５ａの第四開口１６ｄ側に向けられた端末と第四開口１６ｄとの間に前記連通部１８が形成されるようになっている。
【００４８】
これにより、この実施の形態にあっては、雄部材２と雌部材１とを組み合わせた状態から、前記挿通路１７と連通部１８を利用して、前記収容部１９に前記バネ部材３を納め入れ、これにより、雄側留付部１２と雌側留付部７との間で紐Ｃを挟み付ける向きの付勢力が作用される状態を雄部材２と雌部材１とを組み合わせた後に作り出せるようになっている。
【００４９】
典型的には、前記移動中心軸ｘを挟んだ両側においてそれぞれ、雌部材１の第二開口５から挿通路６を通して第一開口４から引き出された紐Ｃを、雄部材２の挿通路１７に通す。この状態から雌部材１の一対の脚部９、９間と第一開口４とを通じて雌側主体部８内に雄部材２の主体部１１の前部１４を進入させて雄部材２と雌部材１とを組み合わせる。この後、前記挿通路１７と連通部１８を利用して前記収容部１９にバネ部材３を納めることで、雄部材２と雌部材１とを前記移動中心軸ｘの左右にそれぞれ紐Ｃを通過させた状態で一体化されると共に、前記バネ部材３を前記引き操作により蓄勢されるように内蔵させることができる。前記引き操作をしない状態にあっては、雄部材２の一部としての主体部１１の前部１４の雌部材１の挿通路６としての雌側主体部８内への入り込み量は最大化され、雄側留付部１２と雌側留付部７との間で前記のように通された紐Ｃに対する挟み付けがなされてコードロックは紐Ｃの任意の位置に留めつく。
【００５０】
前記引き操作をすると、前記バネ部材３としての圧縮コイルバネ３ａを圧縮・蓄勢しながら雄部材２の一部としての主体部１１の前部１４の挿通路６としての雌部材１の雌側主体部８内への入り込み量が減じ、前記雄側留付部１２と雌側留付部７との間の距離が拡がることから、前記雄側留付部１２と雌側留付部７との間での紐Ｃの締め付けが緩められ紐Ｃに対するコードロックＲの留め付けが解かれる。
【００５１】
前記雄部材２及び雌部材１は、典型的にはプラスチックにより構成される。このようにした場合、雌部材１の一対の脚部９、９に前記のような弾性変形特性を容易かつ適切に付与することができる。
【００５２】
なお、当然のことながら、本発明は以上に説明した実施形態に限定されるものではなく、本発明の目的を達成し得るすべての実施形態を含むものである。
【符号の説明】
【００５３】
１  雌部材
２  雄部材
４  第一開口
５  第二開口
６  挿通路
７  雌側留付部
１０ａ  第一当接部
１２  雄側留付部
１３  第二当接部
Ｃ  紐
【図１】
2019047949.tif 000003
【図２】
2019047949.tif 000004
【図３】
2019047949.tif 000005
【図４】
2019047949.tif 000006
【図５】
2019047949.tif 000007
【図６】
2019047949.tif 000008
【図７】
2019047949.tif 000009
【図８】
2019047949.tif 000010
【図９】
2019047949.tif 000011
【図１０】
2019047949.tif 000012
【図１１】
2019047949.tif 000013
【図１２】
2019047949.tif 000014
【図１３】
2019047949.tif 000015
【図１４】
2019047949.tif 000016
【図１５】
2019047949.tif 000017